(57)【要約】【課題】羽根の高速動作と静音動作を両立できる羽根駆動装置及び光量調整装置並びに撮像装置を提供する。【解決手段】  光が通過する開口部を形成する開口形成部材と、開口部の周囲を回動する回動部材と、開口形成部材及び回動部材の間に配置される複数の羽根と、を備え、羽根には、回動部材と係合する第１係合部と、開口形成部材が有するガイド部と係合する第２係合部とがそれぞれ設けられ、羽根のそれぞれは、第２係合部が開口形成部材のガイド部に係合し且つ第１係合部が回動部材に係合した状態で、回動部材の回動により開口形成部材のガイド部に沿った走行が可能であり、開口形成部材のうち羽根が走行する面側には、羽根の一方面が摺動する摺動部と、羽根の一方面が摺動しない非摺動部とが設けたことを特徴とする。【選択図】図１
2017003839.tif 000002
【特許請求の範囲】
【請求項１】
光が通過する開口部を形成する開口形成部材と、
前記開口部の周囲を回動する回動部材と、
前記開口形成部材及び前記回動部材の間に配置される複数の羽根と、を備え、
前記羽根には、前記回動部材と係合する第１係合部と、前記開口形成部材が有するガイド部と係合する第２係合部とがそれぞれ設けられ、
前記羽根のそれぞれは、前記第２係合部が前記開口形成部材の前記ガイド部に係合し且つ前記第１係合部が前記回動部材に係合した状態で、前記回動部材の回動により前記開口形成部材の前記ガイド部に沿った走行が可能であり、
前記開口形成部材のうち前記羽根が走行する面側には、前記羽根の一方面が摺動する摺動部と、前記羽根の一方面が摺動しない非摺動部とが設けられたことを特徴とする羽根駆動装置。
【請求項２】
前記摺動部は、前記開口部の周縁に設けられた開口周縁部と、前記ガイド部の周縁に設けられたガイド周縁部と、前記開口周縁部及び前記ガイド周縁部を部分的に連結して前記羽根の先端側を受ける先端受部と、前記開口周縁部及び前記ガイド周縁部を部分的に連結して前記羽根の先端とは反対側の基端部を受ける基端受部とを有することを特徴とする請求項１に記載の羽根駆動装置。
【請求項３】
前記摺動部のうち前記基端受部の少なくとも一部は、前記羽根の走行過程において、前記羽根の一方面を常に受けた部分を含むことを特徴とする請求項２に記載の羽根駆動装置。
【請求項４】
前記羽根のそれぞれが前記開口部の外側に退避した状態では、隣接する３つの前記ガイド周縁部に１枚の羽根が実質的に重なっていることを特徴とする請求項２又は３に記載の羽根駆動装置。
【請求項５】
前記摺動部は、前記開口部の光軸方向と直交する方向において、連続した同一面で構成されるか、又は凹凸面で構成されることを特徴とする請求項１乃至４のいずれか１項に記載の羽根駆動装置。
【請求項６】
前記摺動部は、前記開口部の周囲に沿って同一のパターン形状で設けられたことを特徴とする請求項１乃至５のいずれか１項に記載の羽根駆動装置。
【請求項７】
前記非摺動部は、前記開口形成部材の一方面側に形成された溝部、又は前記開口形成部材を厚さ方向に貫通した貫通部であることを特徴とする請求項１乃至６のいずれか１項に記載の羽根駆動装置。
【請求項８】
前記開口形成部材の一方面のうち部材外周縁部は、前記開口部の外側に前記羽根が退避した状態から前記開口部に向けて走行する段階において、前記開口部に向かう前記羽根の走行方向の後端部側が摺動する前記摺動部となり、
前記部材外周縁部は、前記開口形成部材上を走行する前記羽根の走行範囲に対応して前記ガイド周縁部と部分的に連結して設けられたことを特徴とする請求項１乃至７のいずれか１項に記載の羽根駆動装置。
【請求項９】
請求項１乃至８のいずれか１項に記載の羽根駆動装置を備えたことを特徴とする光量調整装置。
【請求項１０】
請求項１乃至８のいずれか１項に記載の羽根駆動装置を備えたことを特徴とする撮像装置。
【発明の詳細な説明】
【技術分野】
【０００１】
本発明は、光が通過する光通過経路に向けて羽根を駆動する羽根駆動装置、及びこの羽根駆動装置を備えた光量調整装置、並びに羽根駆動装置又は光量調整装置を備えたカメラ等の撮像装置に関する。
【背景技術】
【０００２】
従来から、カメラや交換レンズ等の光学機器に搭載され、光量を調整するために絞り羽根を回動させる回転駆動装置が知られている（特許文献１参照）。
【０００３】
特許文献１の回転駆動装置では、複数の絞り羽根の一方面にそれぞれ設けられたダボをカム板の絞りカムに係合させ、更に各絞り羽根の他方面に設けられたダボを回転リングに係合させ、回転リングを回転させて絞り羽根を走行させる。
【先行技術文献】
【特許文献】
【０００４】
【特許文献１】特開平１０−２０３５９号公報
【発明の概要】
【発明が解決しようとする課題】
【０００５】
上記特許文献１のような羽根駆動装置では、回転リングとカム板との間で複数の羽根を実質的に挟んだ構造であるため、各絞り羽根の摺動摩擦が大きく、絞り羽根の高速動作及び静音動作には不利である。なお、このような問題は、上述した絞り羽根に限らず、その他の羽根の走行構造においても同様に発生するおそれがある。
【０００６】
本発明は、羽根の高速動作と静音動作を両立できる羽根駆動装置及び光量調整装置並びに撮像装置を提供する。
【課題を解決するための手段】
【０００７】
本発明の羽根駆動装置は、光が通過する開口部を形成する開口形成部材と、前記開口部の周囲を回動する回動部材と、前記開口形成部材及び前記回動部材の間に配置される複数の羽根と、を備え、前記羽根には、前記回動部材と係合する第１係合部と、前記開口形成部材が有するガイド部と係合する第２係合部とがそれぞれ設けられ、前記羽根のそれぞれは、前記第２係合部が前記開口形成部材の前記ガイド部に係合し且つ前記第１係合部が前記回動部材に係合した状態で、前記回動部材の回動により前記開口形成部材の前記ガイド部に沿った走行が可能であり、前記開口形成部材のうち前記羽根が走行する面側には、前記羽根の一方面が摺動する摺動部と、前記羽根の一方面が摺動しない非摺動部とが設けられたことを特徴とする。
かかる本発明の態様によれば、羽根が摺動する摺動部を開口形成部材に部分的に設けたことにより、羽根の摺動摩擦を実質的に低減し、回動部材と開口形成部材との間で複数の羽根を高速且つ静かに走行させることができる。
【０００８】
また、上記本発明では、前記摺動部は、前記開口部の周縁に設けられた開口周縁部と、前記ガイド部の周縁に設けられたガイド周縁部と、前記開口周縁部及び前記ガイド周縁部を部分的に連結して前記羽根の先端側を受ける先端受部と、前記開口周縁部及び前記ガイド周縁部を部分的に連結して前記羽根の先端とは反対側の基端部を受ける基端受部とを有することを特徴としてもよい。
かかる本発明の態様によれば、羽根のうち先端部と基端部を開口周縁部、ガイド周縁部、先端受部、基端受部のそれぞれで受けたことにより、羽根の安定走行が可能となる。
【０００９】
また、上記本発明では、前記摺動部のうち前記基端受部の少なくとも一部は、前記羽根の走行過程において、前記羽根の一方面を常に受けた部分を含むことを特徴としてもよい。
かかる本発明の態様によれば、羽根の走行過程において常に羽根の一部を摺動部が受けるため、羽根の安定走行が可能となる。
【００１０】
また、上記本発明では、前記羽根のそれぞれが前記開口部の外側に退避した状態では、隣接する３つの前記ガイド周縁部に１枚の羽根が実質的に重なっていることを特徴としてもよい。
かかる本発明の態様では、開口部の外側に向けた各羽根の退避動作を安定的に行うことができる。
【００１１】
また、上記本発明では、前記摺動部は、前記開口部の光軸方向と直交する方向において、連続した同一面で構成されるか、又は凹凸面で構成されることを特徴としてもよい。
かかる本発明の態様では、各羽根の摩擦抵抗を低く抑えて各羽根の安定走行を実現できる。
【００１２】
また、上記本発明では、前記摺動部は、前記開口部の周囲に沿って同一のパターン形状で設けられたことを特徴としてもよい。
かかる本発明の態様では、各羽根の摺動条件を同一条件として各羽根全体の摩擦抵抗を低く抑え、各羽根の安定走行を実現できる。
【００１３】
また、上記本発明では、前記非摺動部は、前記開口形成部材の一方面側に形成された溝部、又は前記開口形成部材を厚さ方向に貫通した貫通部であることを特徴としてもよい。
かかる本発明の態様では、非摺動部を溝部によって構成すれば開口形成部材の剛性を確保し易く摩耗粉の拡散を防止でき、非摺動部を貫通部によって構成すれば装置全体（開口形成部材）の軽量化、低コスト化に有利である。
【００１４】
また、上記本発明では、前記開口形成部材の一方面のうち部材外周縁部は、前記開口部の外側に前記羽根が退避した状態から前記開口部に向けて走行する段階において、前記開口部に向かう前記羽根の走行方向の後端部側が摺動する前記摺動部となり、前記部材外周縁部は、前記開口形成部材上を走行する前記羽根の走行範囲に対応して前記ガイド周縁部と部分的に連結して設けられたことを特徴としてもよい。
かかる本発明の態様では、開口部の外側に退避した羽根を開口形成部材の部材外周縁部で受けることにより、開口部に向かう羽根の安定走行を実現できる。
【００１５】
なお、本発明は、上述した羽根駆動装置を備えた光量調整装置、あるいは上述した羽根駆動装置又は光量調整装置を備えたカメラ等の撮像装置についても広く適用できる。
かかる本発明の態様では、羽根の高速動作と静音動作を両立できる羽根駆動装置を搭載するため、シャッタ装置や絞り装置等の光量調整装置、カメラ等の撮像装置の高性能化に有効である。
【発明の効果】
【００１６】
本発明によれば、羽根の高速動作と静音動作を両立できる羽根駆動装置及び光量調整装置並びに撮像装置を実現できる。
【図面の簡単な説明】
【００１７】
【図１】本発明の実施形態１に係る羽根駆動装置（絞り装置）の分解斜視図。
【図２】実施形態１に係る羽根駆動装置が有する駆動リングの斜視図。
【図３】実施形態１に係る羽根駆動装置が有する絞り羽根の斜視図。
【図４】実施形態１に係る羽根駆動装置が有する地板の斜視図。
【図５】実施形態１に係る羽根駆動装置が有する地板の正面図。
【図６】実施形態１に係る羽根駆動装置の羽根全開状態における地板及び絞り羽根の重畳関係を示す拡大図。
【図７】実施形態１に係る羽根駆動装置の羽根駆動時における地板及び絞り羽根の重畳関係を示す他の拡大図。
【図８】実施形態１に係る羽根駆動装置の羽根全閉状チアにおける地板及び絞り羽根の重畳関係を示す他の拡大図。
【図９】実施形態１に係る羽根駆動装置の組み立て状態を示す外観斜視図。
【発明を実施するための形態】
【００１８】
以下、本発明を実施の形態に基づいて詳細に説明する。
本発明の羽根駆動装置は、光が通過する開口を形成する開口形成部材と、この開口形成部材の一方面上で回動する回動部材との間で羽根の走行空間を形成する構成であり、開口形成部材のうち羽根が走行する面側において、羽根が摺動する摺動部と、羽根が摺動しない非摺動部とが羽根の走行範囲に対応して設けられた点に特徴がある。
【００１９】
詳細には、本発明の羽根駆動装置が有する複数の羽根は、回動部材と係合する第１係合部と、開口形成部材が有するガイド部と係合する第２係合部とをそれぞれ備え、ガイド部に沿った羽根の走行範囲が規定される。
【００２０】
すなわち、本発明の羽根駆動装置は、複数の羽根が開口形成部材及び回動部材の間で両部材とそれぞれ係合関係を有する。これら各部材の係合状態において、回動部材を開口形成部材上で回動させると、複数の羽根のそれぞれが開口形成部材のガイド部に沿って走行する。
【００２１】
そして、本発明では、開口形成部材のうち羽根が走行する面側において、羽根が走行する過程において羽根の一方面（側面）が摺動する摺動部が設けられ、この摺動部以外の部分であって且つ羽根が走行する範囲内には、羽根の一方面が摺動しない非摺動部が設けられている。
【００２２】
このため、本発明は、各羽根がその走行範囲において摺動部とだけ摺動することになり、非摺動部が存在する領域では羽根が摺動しない領域が形成される。これにより、非摺動部上においては羽根の摺動摩擦が実質的に低減される。したがって、本発明は、回動部材と開口形成部材との間で複数の羽根を高速走行させる場合に有効であり、また羽根の摺動摩擦が低減されることから羽根走行の静音化にも有効である。
【００２３】
ここで、開口形成部材が有する摺動部は、例えば、羽根の走行範囲に対応してレール状に連続パターンで設けられ、それ以外の領域が非摺動部となる。なお、非摺動部とは、少なくとも羽根が走行する範囲内に位置し、羽根が摺接しない部分のことである。
【００２４】
また、各羽根の第２係合部は開口形成部材の各ガイド部に係合した状態では、各ガイド部の周囲に設けられたガイド周縁部が各羽根との間で摺接する摺接部となる。さらに、開口形成部材には光が通過する開口部の周囲に開口周縁部が設けられ、この開口周縁部は開口部内に出入りする羽根がその都度摺接する摺接部となる。
【００２５】
さらに、各ガイド部のガイド周縁部と開口部の開口周縁部との間は、上記ガイド周縁部と開口部の開口周縁部との間を通過する羽根に対応するため、羽根の先端側を受ける先端受部と、羽根の基端部を受ける基端受部とが摺接部として連結されている。
【００２６】
上述したように、本発明では、羽根の走行範囲に対応して、主に、羽根の先端が先端受部で摺接し、羽根の基端部がガイド周縁部と基端受部とで摺接し、それ以外は実質的に羽根が摺接しない非摺動部となる。すなわち、羽根の走行範囲に対応して、羽根の安定走行を確保するように摺接部を設け、それ以外を非摺接部とし、羽根の安定走行と羽根の摺動摩擦低減（静音走行）との両立を図ることができる。
【００２７】
また、非摺動部は、羽根の走行範囲に対応して非接触部分となればよく、開口形成部材に設けられた凹部でもよいし、貫通孔でもよい。凹部とすると光遮蔽に有利であり、貫通孔とすると開口形成部材の軽量化に有利である。また、摺動部は、羽根の安定走行を確保できればよく、その表面が平坦な面でもよいし凹凸表面でもよいが、凹凸面とした方が羽根の摺動摩擦を低減する上で更に有効である。なお、摺動部の表面については、摺動性（滑り性）を高めるために表面処理を施してもよい。
【００２８】
さらに、複数の羽根を光が通過する開口部の周囲に環状配置した場合には、１枚の羽根に対する摺動部は、他の羽根が走行する領域に重畳して設けられていてもよい。これにより、開口部の周囲に複数の羽根を重ねて退避することが可能となり、羽根駆動装置の小型化に有利である。
【００２９】
また、本発明の構成によれば、羽根と開口形成部材との摩擦が低減されることから、摩耗粉の発生も抑えられ、更に僅かでも摩耗粉が発生しても、その摩耗粉を非摺動部側に退避させることが可能となる。すなわち、光が通過する開口部内に摩耗粉が進入（又は拡散）することを摺動部によって防止できる。
【００３０】
なお、上述した本発明の構成は、例えば、樹脂成型等によって摺動部及び非摺動部を有する開口形成部材を一体的に形成してもよいし、樹脂基板を打ち抜いて摺動部及び非摺動部を形成してもよいし、基板上に凸部を別途設けて摺動部とし且つその凸部以外を非摺動部として形成してもよい。
【００３１】
以下、図面を参照して、本発明の実施の形態について詳細に説明する。
（実施形態１）
図１には、本発明の実施例１である光量調節装置としての虹彩型絞り装置６を分解して示している。また、図９には、本実施例の絞り装置６の組み立て状態を示している。なお、ここでは絞り装置について説明するが、シャッタ装置やシャッタ機能を有する絞り装置も、本発明の実施例としての光量調節装置に含まれる。
【００３２】
絞り装置６は、アクチュエータ１と、押さえ板（押さえ部材）４０と、駆動リング２０と、複数の絞り羽根（遮光羽根）１０と、地板（ベース部材）５０と、フォトインタラプタ３とを有する。
【００３３】
アクチュエータ１は、ステッピングモータ等の電磁アクチュエータである。アクチュエータ１の出力軸には、駆動リング２０を回転駆動するピニオンギア２が取り付けられる。アクチュエータ１とピニオンギア２とにより駆動源部が構成される。
【００３４】
フォトインタラプタ３は、駆動リング２０の初期位置を検出するためのセンサとして用いられる。４はフォトインタラプタ３を保持するセンサ保持部材である。アクチュエータ１およびフォトインタラプタ３を保持したセンサ保持部材４はそれぞれ、ビス６１とビス６２により押さえ板４０に取り付けられる。
【００３５】
５は絞り装置の中心軸であり、該絞り装置が後述する撮像装置に搭載された場合には該撮像装置の光軸に一致する。以下の説明では、この中心軸５に平行な方向をスラスト方向という。押さえ板４０、駆動リング２０、複数の絞り羽根１０および地板５０は、この順でスラスト方向において積層される。
【００３６】
すなわち、駆動リング２０は、スラスト方向において、絞り羽根１０に対して地板５０とは反対側に配置され、押さえ板４０は絞り羽根１０および駆動リング２０に対して地板５０とは反対側に配置される。また、スラスト方向に直交する方向および面をそれぞれラジアル方向（径方向）およびラジアル面という。
【００３７】
絞り羽根１０は、地板５０に形成された固定開口５４の周方向に複数配置されている。本実施例では８つの絞り羽根１０が用いられている。なお、絞り羽根の数は８に限らず、他の複数であってもよい。
【００３８】
図３には１つの絞り羽根１０を拡大して示している。絞り羽根１０は、ラジアル面にほぼ平行になるように配置され、遮光機能を有する平板形状の羽根部と、該羽根部からスラスト方向における互いに反対側に突出するように設けられた駆動ピン１１およびカムピン１２とを有する。駆動ピン１１とカムピン１２のラジアル面内での位置は互いに異なっている。
【００３９】
図２には、駆動リング２０を拡大して示している。駆動リング２０は、その中央に光通過開口（開口部）２４を有し、さらに該光通過開口の周囲における周方向複数箇所（８箇所）に設けられた第１の羽根支持部としての羽根支持突起部２２と、該８つの羽根支持突起部２２を周方向において連結するようにリング形状に形成された連結部（リング形状部）２１とを有する。なお、上記駆動リング２０は、地板２０又は押さえ板４０の開口周縁を回動する部材（回動部材）となる。
【００４０】
各羽根支持突起部２２は、連結部２１からラジアル方向外側に突出するように形成されている。８つの羽根支持突起部２２にはそれぞれ、８つの絞り羽根１０の駆動ピン１１が挿入されて係合する駆動穴部２３が形成されている。
【００４１】
また、駆動リング２０の外周部の一部には、ピニオンギア２に噛み合うギア部２５が形成されている。ギア部２５は、周方向に円弧状に延びてその外周に複数のギア歯が形成されたギア歯部と、連結部２１からラジアル方向外側に延出してギア歯部につながってギア歯部と連結部２１との間に空間を形成する２つのギア支柱部３１とによって構成されている。
【００４２】
なお、これらギア支柱部３１には、２つの絞り羽根１０の駆動ピン１１が挿入されて係合する駆動穴部２３が形成されている。つまり、ギア支柱部３１は、８つの羽根支持突起部２２のうち２つを兼ねている。
【００４３】
また、駆動リング２０の連結部２１における周方向複数箇所（本実施例では８箇所）には、該連結部２１からスラスト方向における押さえ板側に延出したラジアル支持壁部（回転支持部）２６が形成されている。２７はラジアル支持壁部２６の外周面に凸面として形成された当接突起である。複数のラジアル支持壁部２６の当接突起２７が押さえ板４０の内周面に当接することで、駆動リング２０が押さえ板４０の内周面に嵌合し、中心軸５周りで回転可能に支持される。
【００４４】
さらに、駆動リング２０の連結部２１における押さえ板側の周方向複数箇所（本実施例では３箇所）にはスラストフック部２８が設けられており、連結部２１における地板側（絞り羽根側）の周方向複数箇所（本実施例では６箇所）にはスラスト押え突起２９が設けられている。スラストフック部２８とスラスト押え突起２９とによって押さえ板４０の内周部（駆動リング支持部）４１をスラスト方向にて挟み込むことで、駆動リング２０は押さえ板４０によって回転可能にスラスト方向にて支持される。
【００４５】
また、駆動リング２０の周方向一箇所には、フォトインタラプタ３の発光部と受光部との間に入り込んで遮光する遮光突起部３０が設けられている。
【００４６】
図１に示すように、押さえ板４０はその中央に光通過開口（開口部）４４を有するリング形状に形成されており、該押さえ板４０と地板５０との間に配置された絞り羽根１０および駆動リング２０を覆う（押さえる）ように配置され、地板５０に３つのビス６０により固定される。なお、押さえ板４０は、光通過開口４４を形成する開口形成部材の一例である。
【００４７】
図５には、地板５０の正面図を示しており、図６には地板５０を拡大して示している。地板５０は、その中央に固定開口としての光通過開口５４を有するリング形状に形成されており、該リング形状の部分には複数の絞り羽根１０のカムピン１２がそれぞれ係合する複数（絞り羽根１０と同じ８つ）のカム溝部が形成されている。なお、地板５０は、光通過開口５４を形成する開口形成部材の一例である。
【００４８】
また、地板側の羽根面には羽根支持部として幅が約１ｍｍ程度の内周レール５２、外周レール５３、羽根支持レール５６が形成されている。なお、本実施形態において、絞り羽根１０を「支持する（又は押さえる）」とは、絞り羽根１０の滑らかな回動に必要なガタを与えつつ、それ以上に絞り羽根１０ががたついたり脱落したりしないように移動を制限することを意味する。つまり、回動する方向以外の方向（スラスト方向）にガタがないように押さえ込むことではない。
【００４９】
以上のように構成された絞り装置６においては、アクチュエータ１が動作してピニオンギア２が回転すると、駆動リング２０が地板５０および押さえ板４０に対して中心軸５周りで（周方向にて）回転する。
【００５０】
駆動リング２０は、８つの絞り羽根１０に駆動ピン１１を介してアクチュエータ１からの駆動力を伝達する。これにより、各絞り羽根１０は、カムピン１２がカム溝部５１に沿って移動することで駆動ピン１１を中心として回動する。
【００５１】
アクチュエータ１による駆動リング２０の回転位置を制御することで、複数の絞り羽根１０の回動位置、つまりは該複数の絞り羽根１０の羽根部によって形成される絞り開口（可変開口）のサイズ（径）が制御される。絞り開口径に応じて、光通過開口４４，２４，５４を通過する光量を変化させる（調節する）ことができる。
【００５２】
駆動リング２０の回転位置を制御するために必要な駆動リング２０の回転初期位置の検出は、駆動リング２０の遮光突起部３０がフォトインタラプタ３の発光部と受光部との間に入り込んで発光部からの光を遮ったことを示す信号を検出することで行うことができる。
【００５３】
本実施形態の絞り装置６では、絞り羽根１０は、地板５０と接触しながら回動する。図５から図８に示すように、絞り羽根１０は、地板５０の内周レール（開口周縁部）５２、外周レール（部材外周縁部）５３、羽根支持レール（ガイド周縁部５６ａ，基端受部５６ｂ及び先端受部５６ｃ）５６が接触（摺動）する摺動部であり、絞り羽根１０の安定走行を保持しつつその接触面積は小さい方が好ましい。これは、絞り羽根１０の地板５０側の羽根面を、図６に示した従来の絞り装置のように地板２５０の羽根摺動面２５５で全面支持するのではなく、地板５０の羽根摺動面に凹形状５５を設けることで絞り羽根１０が地板５０の内周レール５２、外周レール５３、羽根支持レール５６のみで支持する構成を採用することによって実現している。一方、絞り羽根１０の駆動リング側の羽根面は、従来と同様に駆動リング２０によって支持する。
【００５４】
羽根支持レール５６は地板５０の内周レール５２から外周レール５３に向けて配置されている。また、羽根支持レール５６は内周レール５２と外周レール５３に対し、それぞれカム溝部５１の周りにあるカム周辺支持レール（ガイド周縁部）５６ａを結ぶように羽根中腹第一支持レール（基端受部）５６ｂ、羽根中腹第二支持レール（他の基端受部）５６ｄ、羽根先端支持レール（先端受部）５６ｃがある。羽根中腹第一支持レール５６ｂと羽根先端支持レール５６ｃと羽根中腹第一支持レール５６ｂは内周レール５２からカム周辺支持レール５６ａの内周レール部に到達するまで伸びており、羽根中腹第二支持レール５６ｃはカム周辺支持レール５６ａの外周レール部から外周レール５３に到達するまで伸びている。また、羽根支持レールは光軸周りに羽根枚数分設けられている。
【００５５】
内周レール５２は内周部の強度を保ち、かつ絞り羽根１０の支えとなり、開閉動作した時に引っかからないように円周上に一周繋がっている。一方、外周レール５３は外周部で一周繋がっていることで強度を保ち、かつ絞り羽根１０を開放時に支えている。
【００５６】
カム周辺支持レール５６ａはカム溝部５１の周りに一周繋がっており、カム溝部５１の強度を保ち、開閉動作した時に引っかからないように支えている。また、絞り羽根１０のカムピン１２がカム溝部５１から脱落を防いでいる。
【００５７】
羽根中腹第一支持レール５６ｂは図８に示すように内周レール５２とカム周辺支持レール５６ａの間を開閉動作する絞り羽根１０の外径側にある凸部が支持する役割を持ち、絞り羽根１０が引っかからないようにしている。
【００５８】
羽根先端支持レール５６ｃは図６に示すように内周レール５２とカム周辺支持レール５６ａの間を開閉動作する絞り羽根１０の先端部を支持する役割を持ち、絞り羽根１０が引っかからないようにしている。
【００５９】
羽根中腹第二支持レール５６ｄは図７に示すようにカム周辺支持レール５６ａと外周レール５３の間を開閉動作する絞り羽根１０の外径側にある内径Ｒに対して一番距離が大きい箇所を支持する役割を持ち、絞り羽根１０が引っかからないようにしている。
【００６０】
したがって、図１０、図１３に示すように、絞り羽根２１０を地板２５０に大きな面積で接触させて支持する従来の絞り装置に比べて、本実施例の絞り装置６では、地板５０に絞り羽根１０を支持する羽根支持レール５６を設けたことで、羽根摺動面の凹形状５５からの脱落を防止することができ、絞り羽根１０の滑らかな回動を確保しつつ、絞り羽根１０が地板５０から受ける摩擦抵抗を小さくすることができる。このため、絞り羽根１０を滑らかに回動させることができ、絞り開口の制御精度も向上させることができる。
【００６１】
また、摩擦抵抗が小さくなることで駆動リング２０の回転と停止を高速で繰り返したり、回転方向を高速で切り替えたりすることが可能となり、絞り装置６の高速応答性を向上させることができる。
【００６２】
なおかつ、摩擦抵抗が小さくなることで絞り羽根１０が開閉動作したときに絞り羽根１０と地板５０との間で発生している摺動音を小さくすることができ、羽根の摺動傷の改善もできる。
【００６３】
さらに、地板５０の内周レール５２、外周レール５３、羽根支持レール５６により、梁形状となっていることで強度アップをすることができる。
【００６４】
なお、本実施形態では、駆動リング２０が押さえ板４０によってスラスト方向にて支持される場合について説明したが、駆動リング２０を押さえ板４０と地板５０によって挟むことにより、スラスト方向にて支持してもよい。
【符号の説明】
【００６５】
１  アクチュエータ
２  ピニオンギア
３  フォトインタラプタ
１０  絞り羽根
２０  駆動リング
４０  押さえ板
５０  地板
【図１】
2017003839.tif 000003
【図２】
2017003839.tif 000004
【図３】
2017003839.tif 000005
【図４】
2017003839.tif 000006
【図５】
2017003839.tif 000007
【図６】
2017003839.tif 000008
【図７】
2017003839.tif 000009
【図８】
2017003839.tif 000010
【図９】
2017003839.tif 000011